(57)【要約】  【課題】  第１のローラ対と第２のローラ対より成り、第１のローラ対により搬送したシートが第２のローラ対に当接して少時経過した時点で第２のローラ対の回転を開始することにより、シートに撓みを生じさせてシートの傾きを除去するシート搬送装置における、シートの滑り易さに起因する撓み量の変動を防止する。  【解決手段】  第１のローラ対(31)と第２のローラ対(32)の間に２つのセンサ(33,34)を備えて、第１のセンサ(33)がシート(S)の先端を検出してから第２のセンサ(34)がシートの先端を検出するまでの時間を計測し、計測した時間に応じて、第２のセンサ(34)がシートの先端を検出してから第２のローラ対(32)を回転させるまでの、第１のローラ対(31)によるシートの搬送量を制御する。【選択図】      図２
2005067855.tif 000002
【特許請求の範囲】
【請求項１】
シートを挟んで回転して挟んだシートを搬送する第１のローラ対と、第１のローラ対によって搬送されたシートを挟んで回転して挟んだシートを搬送する第２のローラ対より成り、第１のローラ対によって搬送されたシートの先端が第２のローラ対のシートを挟む部位に達した後に第２のローラ対が回転を開始することにより、第１のローラ対と第２のローラ対の間でシートに撓みを生じさせるシート搬送装置において、
第１のローラ対と第２のローラ対の間に配置されて、シートの先端を検出する第１のセンサと、
第１のセンサと第２のローラ対の間に配置されて、シートの先端を検出する第２のセンサと、
第１のセンサがシートの先端を検出してから第２のセンサがシートの先端を検出するまでの時間を計測し、計測した時間に応じて、第２のセンサがシートの先端を検出してから第２のローラ対が回転を開始するまでの第１のローラ対の回転量を制御する制御部
を備えることを特徴とするシート搬送装置。
【請求項２】
制御部が、計測した時間が長いほど、第２のセンサがシートの先端を検出してから第２のローラ対が回転を開始するまでの第１のローラ対の回転量を多くすることを特徴とする請求項１に記載のシート搬送装置。
【請求項３】
原稿の画像を読み取る画像読取装置であって、画像を読み取る位置に原稿を搬送するものにおいて、
画像を読み取る位置に原稿を搬送するための手段として、請求項１に記載のシート搬送装置を備えることを特徴とする画像読取装置。
【請求項４】
画像をシートに形成する画像形成装置であって、画像を形成する位置にシートを搬送するものにおいて、
画像を形成する位置にシートを搬送する手段として、請求項１に記載のシート搬送装置を備えることを特徴とする画像形成装置。
【発明の詳細な説明】
【技術分野】
【０００１】
本発明は、シート搬送装置ならびにこれを備えた画像読取装置および画像形成装置に関する。
【背景技術】
【０００２】
プリンタをはじめとする画像形成装置には、シート上に画像を形成する画像形成位置にシートを自動的に搬送するためのシート搬送装置が備えられている。イメージスキャナをはじめとする画像読取装置にも、原稿から画像を読み取る画像読取位置に原稿を自動的に搬送するためのシート搬送装置が備えられており、このシート搬送装置は、搬送対象のシートが原稿であることから、特にオートドキュメントフィーダ（ＡＤＦ）と呼ばれている。画像読取装置と画像形成装置の機能を併せもつ複写機やファクシミリでは、原稿や画像形成用のシートを搬送するためにそれぞれシート搬送装置が備えられている。
【０００３】
画像読取装置は原稿から画像を傾きなく読み取る必要があり、画像形成装置は画像をシートに傾きなく形成する必要がある。このため、画像読取装置や画像形成装置に備えられるシート搬送装置は、画像読取位置や画像形成位置にシートを傾きなく搬送しなければならない。
【０００４】
一般に、シート搬送装置は複数のローラ対で構成される。各ローラ対は、シートを挟んで回転することにより、シートを移動させて次のローラ対に送る。画像読取位置や画像形成位置に最も近い最後のローラ対はレジストローラと呼ばれ、その直前のローラ対と協同して、シートを常に一定の向きにする機能、すなわち搬送中のシートが傾いているときに傾きを除去する機能を有する。
【０００５】
レジストローラは、直前のローラ対から搬送されてくるシートの先端が、シートを挟む部位（ニップ部）に達するまで、すなわち、シートの先端が２つのローラに当接するまでは、回転せず、シートの先端がニップ部に達して少時経過した時点で回転を開始する。レジストローラの直前のローラ対は、シートの先端がレジストローラのニップ部に達した後も回転してシートを搬送し、これによりレジストローラとその直前のローラ対の間でシートに撓みが生じる。
【０００６】
レジストローラに当接する前のシートの傾きの有無にかかわらず、撓んだシートの先端の縁はレジストローラに均一に当接する。シートが傾いていたときは、シートの一方の側縁側と他方の側縁側で撓み量が等しくなくなり、レジストローラが回転を開始した後も、傾きはこの不均一な撓みとして、レジストローラに挟まれていない部位に留まる。これにより、レジストローラを経たシートは傾きを除去された状態となる。
【０００７】
原稿や画像形成用のシートは、所定のシート載積位置に配置され、１枚ずつ取り出されてシート搬送装置に渡される。載積位置からのシートの取り出しは摩擦を利用して行われるため、シートの質や取り出し用部材の摩耗等によって、シートが取り出せないことがある。ただし、取り出しを何回か試みればシートを取り出すことができることもあり、特開平５−３２３５４号公報には、搬送中のシートの先端を検出するためのセンサを備えて、シートの先端が検出できないときには、取り出しを再度試みるようにした装置が提案されている。再取り出しに際しては、取り出し用部材であるローラの回転速度を変化させることも提案されている。
【特許文献１】特開平５−３２３５４号公報
【発明の開示】
【発明が解決しようとする課題】
【０００８】
シート搬送装置のローラ対も摩擦を利用したものであり、シートの質やローラ表面の劣化等により、設計どおりの速度で搬送することができないことが多い。レジストローラの直前のローラ対によるシートの搬送速度が変動すると、レジストローラの回転開始時期との関係によって、シートの傾きを除去する機能が低下したり、シート詰まりやシートの破損を招いたりする結果となる。
【０００９】
すなわち、搬送速度が遅すぎると、撓み量が不足して傾きを除去できなくなり、甚だしい場合は、シートがレジストローラのニップ部に達する前にレジストローラが回転を始めて、レジストローラと直前のローラ対とでシートを引っ張ることになって、シートが裂ける結果となる。逆に、搬送速度が速すぎると、撓み量が過大になって、シートが搬送路近傍の部材に接したり、折れ曲がってレジストローラに挟まれたりして、シート詰まりが生じ、シートも損傷する。
【００１０】
シートが原稿である場合は、シートの質に大きな差があるため、特に搬送速度が変動し易い。また、原稿には貴重なものもあり、その損傷は確実に防止しなければならない。
【００１１】
ところが、従来のシート搬送装置では、搬送するシートの大きさに応じてレジストローラの回転開始時期を変えることや、上記公報のように載積位置からのシートの取り出し速度を変化させることが行われているのみで、レジストローラの直前のローラ対によるシートの搬送速度の変動に対処することは行われていない。このため、画像に傾きが生じたり、シート詰まりやシートの損傷が生じたりし易い現状にある。
【００１２】
本発明は、このような問題点に鑑みてなされたもので、レジストローラの直前のローラ対によるシートの搬送速度が変動したときでも、適切にシートを撓ませることが可能なシート搬送装置を提供することを目的とする。また、そのようなシート搬送装置を備えることで、画像読取装置および画像形成装置の性能を高めることを目的とする。
【課題を解決するための手段】
【００１３】
上記目的を達成するために、本発明では、シートを挟んで回転して挟んだシートを搬送する第１のローラ対と、第１のローラ対によって搬送されたシートを挟んで回転して挟んだシートを搬送する第２のローラ対より成り、第１のローラ対によって搬送されたシートの先端が第２のローラ対のシートを挟む部位に達した後に第２のローラ対が回転を開始することにより、第１のローラ対と第２のローラ対の間でシートに撓みを生じさせるシート搬送装置において、第１のローラ対と第２のローラ対の間に配置されて、シートの先端を検出する第１のセンサと、第１のセンサと第２のローラ対の間に配置されて、シートの先端を検出する第２のセンサと、第１のセンサがシートの先端を検出してから第２のセンサがシートの先端を検出するまでの時間を計測し、計測した時間に応じて、第２のセンサがシートの先端を検出してから第２のローラ対が回転を開始するまでの第１のローラ対の回転量を制御する制御部を備える構成とする。
【００１４】
このシート搬送装置は、レジストローラとして機能する第２のローラ対とその直前のローラ対として機能する第１のローラ対の間に、第１のセンサと第２のセンサを備えて、シートの先端が第１のセンサによって検出されてから第２のセンサによって検出されるまでの時間を計測して、第２のローラ対が回転を開始するまでの第１のローラ対の回転量の制御に利用する。計測した時間によってシートの実際の搬送速度が判り、シートの質や第１のローラ対の摩耗等によって、第１のローラ対の回転量に対応する量だけシートが搬送されないときでも、シートに過不足なく撓みを生じさせるための第１のローラ対の回転量を定めることができる。
【００１５】
ここで、制御部が、計測した時間が長いほど、第２のセンサがシートの先端を検出してから第２のローラ対が回転を開始するまでの第１のローラ対の回転量を多くするようにするとよい。計測した時間が長いということはシートが滑り易いということであり、シートが滑りやすいときに第１のローラ対の回転量を多くすることで、シートの撓みが不足するのを防止することができる。
【００１６】
前記目的を達成するために、本発明ではまた、原稿の画像を読み取る画像読取装置であって、画像を読み取る位置に原稿を搬送するものにおいて、画像を読み取る位置に原稿を搬送するための手段として、上記のシート搬送装置を備えるようにする。
【００１７】
本発明ではさらにまた、画像をシートに形成する画像形成装置であって、画像を形成する位置にシートを搬送するものにおいて、画像を形成する位置にシートを搬送する手段として、上記のシート搬送装置を備えるようにする。
【発明の効果】
【００１８】
本発明のシート搬送装置では、シートの質や第１のローラ対の劣化等によって、シートが第１のローラ対の回転量に対応する量だけ搬送されないときでも、シートの実際の搬送速度を知ることができるため、第２のローラ対が回転を開始するまでの第１のローラ対の回転量の制御を通じて、シートに過不足なく撓みを生じさせることができる。したがって、シートの傾きを確実に除去することが可能であり、シート詰まりやシートの損傷も防止することができる。
【００１９】
このようなシート搬送装置を備えた本発明の画像読取装置や画像形成装置では、原稿から画像を傾きなく読み取ることや、シートに画像を傾きなく形成することが確実になる上、シート詰まりがなくなって能率の低下が防止される。また、貴重な原稿を損傷することや、画像形成用のシートを損傷により無駄に消費することも避けられる。
【発明を実施するための最良の形態】
【００２０】
以下、本発明の実施形態について図面を参照しながら説明する。第１の実施形態であるイメージスキャナの構成を図１に模式的に示す。このイメージスキャナ１は、原稿から画像を読み取る画像読取部１２、画像読取部１２に原稿を供給する原稿供給部１１、画像読取部１２が読み取った画像にデジタル化や画質を調整するための諸処理を施す画像処理部１３、画像処理部１３によって処理を施された画像を記憶する画像記憶部１４、パーソナルコンピュータ等の外部機器と通信して画像記憶部１４が記憶している画像を外部機器に提供する通信部１５、および原稿供給部１１から通信部１５までの各部の動作を制御する制御部１７を備えている。
【００２１】
なお、図１において、太い実線の矢印は画像の伝送を表しており、白抜きの矢印はシートである原稿の搬送を表している。また、細い実線の矢印は制御部１７による各部の制御を表している。
【００２２】
原稿供給部１１の構成を図２に示す。原稿供給部１１は、シート搬送装置３０、シート積載トレイ４１、ピックアップローラ４２、および２つのシートガイド板４３、４４より成る。シート積載トレイ４１には、使用者により、シートである原稿が１枚、または複数枚重ねて、載置される。以下、本実施形態では、搬送対象の原稿をシートという。ピックアップローラ４２は、シート載積トレイ４２上の最も上のシートに接して回転して、シートを１枚ずつ取り出す。
【００２３】
シート搬送装置３０は、第１のローラ対３１および第２のローラ対３２を備えており、ピックアップローラ４２によって取り出されたシートＳを画像読取部１２に搬送する。第１のローラ対３１は、ピックアップローラ４２から送られてくるシートＳを、挟んで回転することにより、第２のローラ対３２に送る。第２のローラ対３２は、第１のローラ対３１から送られてくるシートＳを、挟んで回転することにより、画像読取部１２に送り出す。
【００２４】
図２において、ピックアップローラ４２、第１のローラ対３１、および第２のローラ対３２に付した矢印は、各ローラの回転方向を表している。なお、第１のローラ対３１に含まれる２つのローラは、一方にのみ回転駆動力が与えられ、他方は従動する。第２のローラ対３２も同様である。矢印を付したローラが回転駆動力を与えられるローラである。また、第１のローラ対３１、第２のローラ対３２、およびピックアップローラ４２の表面は、弾性を有し摩擦係数の高い材料で作製されている。
【００２５】
シートガイド板４３は、第１のローラ対３１の近傍から第２のローラ対３２のニップ部近傍まで達しており、第１のローラ対３１によって送り出されるシートを第２のローラ対３２のニップ部まで案内する。シートガイド板４４は、第２のローラ対３２の近傍から画像読取部１２まで達しており、第２のローラ対３２によって送り出されるシートを画像読取位置まで案内する。
【００２６】
第２のローラ対３２は、第１のローラ対３１から送られてくるシートの先端がニップ部に達するまで、すなわちシートの先端が２つのローラに当接するまでは回転せず、シートの先端がニップ部に達して少時経過した時点で回転を開始する。第１のローラ対３１は、シートの先端が第２のローラ対３２のニップ部に達した後も回転する。つまり、第２のローラ対３２はレジストローラとして機能し、第１のローラ対３１と協同して、シートに撓みを生じさせる。
【００２７】
シート搬送装置３０は、第１のローラ対３１と第２のローラ対３２との間に、シートの先端を検出するための２つのセンサ３３、３４を備えている。第１のセンサ３３は、第１のローラ対３１の近くに配置されており、第２のセンサ３４は第２のローラ対３２の近くに配置されている。
【００２８】
これらのセンサ３３、３４は、例えば、シートの搬送路に向けて光を発する発光ダイオードと、シートによって反射された発光ダイオードからの光を検出するフォトダイオードで構成することができる。発光ダイオードとフォトダイオードを、シートの搬送路を挟んで対向させて配置し、発光ダイオードからフォトダイオードに達する光がシートによって遮られるのを検出するようにしてもよい。
【００２９】
シート搬送装置３０の回路構成を図３に模式的に示す。シート搬送装置３０は、上述の第１のセンサ３３および第２のセンサ３４に加えて、第１のローラ対３１を回転させるための第１のモータ３５、第２のローラ対３２を回転させるための第２のモータ３６、および、これらのモータ３５、３６の駆動を制御する制御部３７を備えている。第１のモータ３５および第２のモータ３６はステッピングモータであり、回転量は制御部３７から与えられる駆動パルスの数に比例する。
【００３０】
制御部３７は、第１のローラ対３１と第２のローラ対３２によってシートに生じさせる撓みの量を常に適切に設定するために、第１のセンサ３３がシートの先端を検出してから第２のセンサ３４がシートの先端を検出するまでの時間を計測し、計測した時間に応じて、第２のセンサ３４がシートの先端を検出てから第２のモータ３６の駆動を開始するまでの、第１のモータ３５の駆動量を制御する。時間を計測するために、制御部３７はタイマ３８を備えている。
【００３１】
制御部３７が行う上記の制御について説明する。制御部３７は、第２のセンサ３４がシートの先端を検出してから、第２のモータ３６の駆動を開始するまでのシートの搬送量Ｃを、次の式１に従って定める。
【００３２】
Ｃ＝Ｌ２＋Ｂ＋Ｘ    …  式１
ここで、Ｌ２は、図２に示すように、第１のセンサ３３から第２のセンサ３４に向かう方向（この方向を基準方向といい、矢印Ａで示す）における、第２のセンサ３４から第２のローラ対３２のニップ部までの距離である。Ｂは、シートに撓みを生じさせるための量であり、一定値（例えば５ｍｍ）である。また、Ｘは、第１のローラ対３１の回転量（表面の移動量）とシートの実際の搬送量の差を補正するための量である。
【００３３】
補正量Ｘは、次の式２で定義される。
【００３４】
Ｘ＝Ｋ・（Ｔｏ−Ｔｒ）・Ｖｒ    …  式２
Ｖｒは、第１のローラ対３１の直径および回転速度ならびに基準方向Ａに対するガイド板４３の傾きから求まる、基準方向Ａにおけるシートの理論的な搬送速度である。Ｔｏは、第１のセンサ３３がシートの先端を検出してから第２のセンサ３４がシートの先端を検出するまでの実際に計測された時間であり、Ｔｒは、第１のセンサ３３がシートの先端を検出してから第２のセンサ３４がシートの先端を検出するまでの理論的な時間である。この理論的な時間Ｔｒは、第１のセンサ３３から第２のセンサ３４までの距離Ｌ１と、上記の理論的な搬送速度Ｖｒから求まる（Ｔｒ＝Ｌ１／Ｖｒ）。また、Ｋは、所定の補正係数（正の数）である。
【００３５】
シートが滑らず、シートの搬送量が第１のローラ対３１の回転量に一致するときは、Ｔｏ＝Ｔｒとなって、式２の補正量Ｘは０となる。一方、シートが滑り易く、シートの搬送量が第１のローラ対３１の回転量よりも少なくなるときは、Ｔｏ＞Ｔｒとなり、式１の搬送量Ｃには正の補正量Ｘが加わる。補正量Ｘは時間の差（Ｔｏ−Ｔｒ）に比例するから、シートが滑り易いときほど、搬送量Ｃを多くすることになる。
【００３６】
なお、式２における補正係数Ｋは、一定としてもよいし、シートの大きさや厚さに応じて定めるようにしてもよい。シートの大きさや厚さに応じて補正係数Ｋを定めることで、搬送量Ｃをより細かく制御することができる。
【００３７】
制御部３７は、式１に従って定めた搬送量Ｃに相当する第１のモータ３５の駆動パルス数Ｐを算出し、第２のセンサ３４がシートの先端を検出した後は、算出した駆動パルス数Ｐに達するまで第１のモータ３５を駆動する。駆動パルス数Ｐは、次の式３に従って算出する。ここで、Ｕｒは、１パルス当たりの第１のローラ対３１の理論的な回転量である。
【００３８】
Ｐ＝Ｃ／Ｕｒ    …  式３
シート搬送装置３０の処理の流れを図４に示す。この処理は、制御部３７がイメージスキャナ１の制御部１７から与えられる指示に応じて開始する。イメージスキャナ１の制御部１７は、その指示を制御部３７に与える直前に、ピックアップローラ４２の回転を開始させる。
【００３９】
まず、第１のモータ３５の駆動とその駆動パルスの計数を開始し（ステップ＃５）、タイマ３８を起動する（＃１０）。次いで、第１のセンサ３３がシートの先端を検出したか否かを判定し（＃１５）、検出していないときは、ステップ＃５で第１のモータ３１の駆動を開始してから所定時間が経過したか否かをタイマ３８の出力に基づいて判定する（＃２０）。所定時間が経過していないときはステップ＃１５に戻る。
【００４０】
ステップ＃１５の判定で第１のセンサ３３がシートの先端を検出したときは、タイマ３８をリセットして再起動する（＃２５）。そして、第２のセンサ３４がシートの先端を検出したか否かを判定し（＃３０）、検出していないときは、ステップ＃１５で第１のセンサ３３がシートの先端を検出してから所定時間が経過したか否かをタイマ３８の出力に基づいて判定する（＃３５）。所定時間が経過していないときはステップ＃３０に戻る。
【００４１】
ステップ＃３０の判定で第２のセンサ３４がシートの先端を検出したときは、タイマ３８を停止し（＃４０）、その時点でのタイマ３８の出力から前述の時間の差（Ｔｏ−Ｔｒ）を得て、式１に従って搬送量の目標値Ｃを算出する（＃４５）。そして、式３に従って、第１のモータ３５のパルス数の目標値Ｐを算出し（＃５０）、与えたパルス数が目標値Ｐに達するまで第１のモータ３５の駆動を続けて（＃５５）。パルス数が目標値Ｐに達した時点で第１のモータ３５の駆動を停止する（＃６０）。このとき、シートは先端が第２のローラ対３２に当接して、適当量撓んだ状態となっている。
【００４２】
その後、イメージスキャナ１の制御部１７からシートを送出すべき旨の指示が与えられるの待ち（＃６５）、指示に応じて、第２のモータ３６の駆動とその駆動パルスの計数を開始する（＃７０）。また、第１のモータ３５の駆動も再開する（＃７５）。その際、第１のローラ対３１によるシートの実際の搬送速度が、第２のローラ対３２によるシートの搬送速度に一致するように、第１のモータ３５の回転速度を設定する。これで、シートの撓み量が一定に保たれる。
【００４３】
次いで、第２のモータ３６に与えたパルスの数が第１の所定値に達したか否かを判定し（＃８０）、達した時点で第１のモータ３５の駆動を停止する（＃８５）。これは、シートの後端が第１のローラ対３１のニップ部から離れた時点で第１のローラ対３１の回転を停止するためであり、この第１の所定値は、シートの大きさ（長さ）に応じて定めておく。なお、第２のモータ３６に与えたパルス数に基づいて第１のモータ３５の駆動を停止することに代えて、第１のセンサ３３がシートの後端を検出した時点で第１のモータ３５の駆動を停止するようにしてもよい。
【００４４】
第１のモータ３５の駆動を停止した後、第２のモータ３６に与えたパルスの数が第２の所定値に達したか否かを判定し（＃９０）、達した時点で第２のモータ３６の駆動を停止する（＃９５）。これは、シートの後端が第２のローラ対３２のニップ部から離れた時点で第２のローラ対３２の回転を停止するためであり、この第２の所定値も、シートの大きさ（長さ）に応じて定めておく。
【００４５】
ステップ＃２０の判定で所定時間が経過していたときは、ピックアップローラ４２によるシートの取り出しが失敗したか、第１のローラ対３１でシート詰まりが発生したか、あるいは、シートがあまりに滑り易く第１のローラ対３１による搬送に適さないと判断して、第１のモータ３５の駆動を停止し（＃１００）、所定のエラー処理を行う（＃１０５）。ステップ＃３５の判定で所定時間が経過していたときも、シートがあまりに滑り易く第１のローラ対３１による搬送に適さないと判断して、第１のモータ３５の駆動を停止し（＃１００）、エラー処理を行う（＃１０５）。
【００４６】
上述の処理を行うシート搬送装置３０では、ある程度滑り易いシートであっても撓み量を適切に設定することができる。また、シート詰まりや、あまりに滑り易く搬送に適さないシートを速やかに検出することができて、能率がよい。
【００４７】
第２の実施形態である複写機の構成を図５に模式的に示す。この複写機２は、原稿から画像を読み取る画像読取部２２、画像読取部２２に原稿を供給する原稿供給部２１、画像読取部２２が読み取った画像にデジタル化や画質を調整するための処理を施す画像処理部２３、画像処理部２３によって処理を施された画像を記憶する画像記憶部２４、画像記憶部２４が記憶している画像をシートに形成する画像形成部２５、画像形成部２５に画像形成用のシートを供給するシート供給部２６、および原稿供給部２１からシート供給部２６までの各部の動作を制御する制御部２７を備えている。
【００４８】
原稿供給部２１およびシート供給部２６は、第１の実施形態のイメージスキャナ１の原稿供給部１１と同様の構成であり、図２に示したシート搬送装置３０を備えている。シート供給部２６のシート載積トレイ４１には、原稿ではなく、画像形成用のシートが１枚、または複数枚重ねて、載置される。また、シート供給部２６のシートガイド板４４は、第２のローラ対３２から画像形成部２５に達して、シートを画像形成位置に案内する。原稿供給部２１およびシート供給部２６のシート搬送装置３０におけるシートの搬送制御は、第１の実施形態で説明したとおりである。
【００４９】
なお、上記第１、第２の実施形態では画像読取装置であるイメージスキャナと、画像読取装置と画像形成装置を兼ねる複写機を掲げたが、本発明はこれらに限らず、シートを搬送し、搬送したシートの傾きを除去する機能を有するあらゆる装置に適用可能である。本発明の適用が好ましい画像形成装置には、例えばプリンタがあり、本発明の適用が好ましい画像読取装置兼画像形成装置には、例えばファクシミリ装置がある。
【００５０】
また、各実施形態では、シート搬送装置３０がイメージスキャナ１や複写機２の制御部１７、２７とは別に制御部３７を有する構成としたが、イメージスキャナや複写機の制御部がシート搬送装置の制御部を兼ねるようにしてもよい。さらに、ここでは、ピックアップローラ４２が取り出したシートを第１のローラ対３１が直接受ける構成としたが、第１のローラ対３１の前に１以上のローラ対を備える構成として、取り出したシートをそれらのローラ対によって第１のローラ対３１に搬送するようにしてもよい。
【図面の簡単な説明】
【００５１】
【図１】第１の実施形態のイメージスキャナの構成を模式的に示すブロック図。
【図２】上記イメージスキャナの原稿供給部の構成を模式的に示す側面図。
【図３】上記原稿供給部に含まれるシート搬送装置の回路構成を模式的に示すブロック図。
【図４】上記シート搬送装置の処理の流れの概略を示すフローチャート。
【図５】第２の実施形態の複写機の構成を模式的に示すブロック図。
【符号の説明】
【００５２】
１    イメージスキャナ
１１    原稿供給部
１２    画像読取部
１３    画像処理部
１４    画像記憶部
１５    通信部
１７    制御部
２    イメージスキャナ
２１    原稿供給部
２２    画像読取部
２３    画像処理部
２４    画像記憶部
２５    画像形成部
２６    シート供給部
２７    制御部
３０    シート搬送装置
３１    第１のローラ対
３２    第２のローラ対
３３    第１のセンサ
３４    第２のセンサ
３５    第１のモータ
３６    第２のモータ
３１    シート載積トレイ
４２    ピックアップローラ
４３    シートガイド板
４４    シートガイド板
【図１】
2005067855.tif 000003
【図２】
2005067855.tif 000004
【図３】
2005067855.tif 000005
【図４】
2005067855.tif 000006
【図５】
2005067855.tif 000007